(57)【要約】      （修正有）【課題】組み立てが容易で、寸法が統一され、積み重ねられると、整然で見栄えが良く、更に、内部の靴が見えやすい組立型シューボックスを提供する。【解決手段】本体１と、第１エンドカバー２と、第２エンドカバー３とを備え、本体が一体化構造であり、本体に第１開口および第２開口が設けられ、第１開口および第２開口が、枠体の両端に平行に間隔をあけて設けられ、第１開口の縁に折り曲げ可能な第１係着具が設けられ、第２開口の縁に第２係着具が設けられる。第１エンドカバー２は、扉枠２１と、透明材料からなる扉体２２とを備え、扉枠２１に第１係着溝が設けられ、扉枠２１が第１開口箇所に設けられ、第１係着具が第１係着溝に係着され、扉体２２の一端が扉枠２１にヒンジ連結され、他端が扉枠２１に係着される。【選択図】図１
0003225972.tif 000002
【実用新案登録請求の範囲】
【請求項１】
本体（１）と、第１エンドカバー（２）と、第２エンドカバー（３）とを備え、前記本体（１）がシート材を折り畳んで連結した一体化構造であり、前記本体（１）に第１開口および第２開口が設けられ、前記第１開口および前記第２開口が、前記本体（１）の両端に平行に間隔をあけて設けられ、前記第１開口の縁に第１係着具（４）が設けられ、前記第２開口の縁に第２係着具（５）が設けられ、前記第１エンドカバー（２）に、前記第１係着具（４）に係合される第１係着溝（２６）が設けられ、前記第２エンドカバー（３）に、前記第２係着具（５）に係合される第２係着溝（３３）が設けられ、前記第１エンドカバー（２）が前記第１開口箇所に設けられ、前記第１係着具（４）が前記第１係着溝（２６）に係着され、前記第２エンドカバー（３）が前記第２開口箇所に設けられ、前記第２係着具（５）が前記第２係着溝（３３）に係着される、ことを特徴とする組立型シューボックス。
【請求項２】
前記第１エンドカバー（２）は、扉枠（２１）と、透明材料からなる扉体（２２）とを備え、前記扉枠（２１）に前記第１係着溝（２６）が設けられ、前記扉枠（２１）が前記第１開口箇所に設けられ、前記第１係着具（４）が前記第１係着溝（２６）に係着され、前記扉体（２２）の一端が前記扉枠（２１）にヒンジ連結され、他端が前記扉枠（２１）に係着される、ことを特徴とする請求項１に記載の組立型シューボックス。
【請求項３】
前記扉体（２２）の前記扉枠（２１）とのヒンジ接続箇所から離れた端に、扉ハンドル（２３）が設けられる、ことを特徴とする請求項２に記載の組立型シューボックス。
【請求項４】
前記扉枠（２１）の上端面に第１突起（２５）が設けられる、ことを特徴とする請求項２に記載の組立型シューボックス。
【請求項５】
前記扉枠（２１）の下端に、前記第１突起（２５）と寸法が同じである第１凹溝（２４）が設けられる、ことを特徴とする請求項４に記載の組立型シューボックス。
【請求項６】
前記第１係着溝（２６）の縁に、前記第１係着溝（２６）へ延出する第１係着部（２７）が設けられる、ことを特徴とする請求項２に記載の組立型シューボックス。
【請求項７】
前記第２エンドカバー（３）の上端面に第２突起（３２）が設けられる、ことを特徴とする請求項１に記載の組立型シューボックス。
【請求項８】
前記第２エンドカバー（３）の下端に、前記第２突起（３２）と寸法が同じである第２凹溝（３１）が設けられる、ことを特徴とする請求項７に記載の組立型シューボックス。
【請求項９】
前記第２係着溝（３３）の縁に、前記第２係着溝（３３）へ延出する第２係着部（３４）が設けられる、ことを特徴とする請求項１に記載の組立型シューボックス。
【請求項１０】
前記第２エンドカバー（３）に通気孔が設けられる、ことを特徴とする請求項１に記載の組立型シューボックス。
【考案の詳細な説明】
【技術分野】
【０００１】
本考案は、家庭用品の技術分野に関し、特に、組立型シューボックスに関する。
【背景技術】
【０００２】
多くの家庭において、通常、シューボックスを用いて靴を収納するが、現在市販されているシューボックスは、通常、ボール紙からなるものであり、シューボックスを放置する場合にも、積み重ねる必要があり、非常に空間を占有し、且つ、靴をシューボックス内に置くと、箱内の状況が箱外から見えなくなり、必要な靴を見つけるのに手間がかかる。通常のシューボックスは、丈夫でなく、壊れやすく、更に、シューボックスの寸法が統一されていないため、積み重ねられると、見栄えが良くない。市販されている組立型シューボックスは、組み立てが困難である。
【０００３】
従って、上記技術的課題を解決する組立型シューボックスに対する要求が非常に差し迫っている。
【考案の概要】
【考案が解決しようとする課題】
【０００４】
本考案の目的は、組み立てが容易で、シューボックスの寸法が統一され、積み重ねられると、整然で見栄えが良く、更に、シューボックス内部の靴が見えやすい組立型シューボックスを提供することである。
【課題を解決するための手段】
【０００５】
この目的を達成するために、本考案は、以下の技術案を採用する。
【０００６】
組立型シューボックスは、本体と、第１エンドカバーと、第２エンドカバーとを備え、前記本体がシート材を折り畳んで連結した一体化構造であり、前記本体に第１開口および第２開口が設けられ、前記第１開口および前記第２開口が、前記本体の両端に平行に間隔をあけて設けられ、前記第１開口の縁に第１係着具が設けられ、前記第２開口の縁に第２係着具が設けられ、前記第１エンドカバーに、前記第１係着具に係合される第１係着溝が設けられ、前記第２エンドカバーに、前記第２係着具に係合される第２係着溝が設けられ、前記第１エンドカバーが前記第１開口箇所に設けられ、前記第１係着具が前記第１係着溝に係着され、前記第２エンドカバーが前記第２開口箇所に設けられ、前記第２係着具が前記第２係着溝に係着される。
【０００７】
好ましくは、前記第１エンドカバーは、扉枠と、透明材料からなる扉体とを備え、前記扉枠に前記第１係着溝が設けられ、前記扉枠が第１開口箇所に設けられ、前記第１係着具が前記第１係着溝に係着され、前記扉体の一端が前記扉枠にヒンジ連結され、他端が前記扉枠に係着される。
【０００８】
好ましくは、前記扉体の前記扉枠とのヒンジ接続箇所から離れた端に、扉ハンドルが設けられる。
【０００９】
好ましくは、前記扉枠の上端面に第１突起が設けられる。
【００１０】
好ましくは、前記扉枠の下端に、前記第１突起と寸法が同じである第１凹溝が設けられる。
【００１１】
好ましくは、前記第１係着溝の縁に、前記第１係着溝へ延出する第１係着部が設けられる。
【００１２】
好ましくは、前記第２エンドカバーの上端面に第２突起が設けられる。
【００１３】
好ましくは、前記第２エンドカバーの下端に、前記第２突起と寸法が同じである第２凹溝が設けられる。
【００１４】
好ましくは、前記第２係着溝の縁に、前記第２係着溝へ延出する第２係着部が設けられる。
【００１５】
好ましくは、前記第２エンドカバーに通気孔が設けられる。
【考案の効果】
【００１６】
本考案の有益な効果は以下のとおりである。
１）本考案に係る組立型シューボックスは、両端に開口を有する本体を採用し、第１開口箇所に第１エンドカバーが係着され、第２開口箇所に第２エンドカバーが係着され、上記設置により、該シューボックスは、組み立てが容易である。放置する場合、第１エンドカバーおよび第２エンドカバーを取り外すことができ、本体が折り畳まれてなるため、本体はシート状に変形して空間の占有を減少することができる。複数の同じシューボックスが積み重ねられ、シューボックスの寸法が統一されるため、積み重ねられると、整然で見栄えが良い。
２）扉体が透明材料からなるため、シューボックス内部の靴を観察しやすい。
【図面の簡単な説明】
【００１７】
【図１】本考案の組立型シューボックスの模式図である。
【図２】本考案の組立型シューボックスの本体の模式図である。
【図３】本考案の組立型シューボックスの第１エンドカバーの模式図である。
【図４】図３におけるＡ箇所の一部拡大図である。
【図５】本考案の組立型シューボックスの第２エンドカバーの模式図である。
【図６】図５におけるＢ箇所の一部拡大図である。
【考案を実施するための形態】
【００１８】
以下、図面および実施形態を参照しながら、本考案の技術案を更に説明する。ここで説明する具体的な実施例が、本考案を解釈するためのものに過ぎず、本考案を限定するものではないことは理解できる。なお、説明の便宜上、図面において全ての構成でなく、本考案に係る構成のみが示されている。
【００１９】
図１〜図６に示すように、本考案に係る組立型シューボックスは、本体１と、第１エンドカバー２と、第２エンドカバー３とを備え、本体１が一体化構造を採用し、シート材を折り畳んで作製され、本体１に第１開口および第２開口が設けられ、第１開口および第２開口が、本体１の両端に平行に間隔をあけて設けられ、第１開口に第１エンドカバー２が係着され、第２開口に第２エンドカバー３が係着される。
【００２０】
具体的には、第１開口の縁に第１係着具４が設けられ、第２開口の縁に第２係着具５が設けられ、好ましくは、第１係着具４および第２係着具５はいずれも折り曲げ可能である。第１エンドカバー２に、第１係着具４に係合される第１係着溝２６が開設され、第２エンドカバー３に、第２係着具５に係合される第２係着溝３３が開設され、第１エンドカバー２が第１開口箇所に設けられ、第１係着具４が第１係着溝２６に係着され、第２エンドカバー３が第２開口箇所に設けられ、第２係着具５が第２係着溝３３に係着される。
【００２１】
更に、第１エンドカバー２は、扉枠２１と、透明材料からなる扉体２２とを備え、扉体２２の一端が扉枠２１にヒンジ連結され、他端が扉枠２１に係着される。扉体２２は、扉枠２１に対して開閉でき、扉枠２１に第１係着溝２６が設けられ、扉枠２１が第１開口箇所に設けられ、第１係着具４が第１係着溝２６に係着され、具体的には、第１係着具４が本体１に接触するまで折り曲げられると、第１係着溝２６に係着され、折り曲げられた第１係着具４は、自らの復元力の作用で、本体１から一定の距離だけずれる。第１係着溝２６の縁に、第１係着溝２６へ延出する第１係着部２７が設けられ、第１係着具４の本体１から離れた端は、第１係着部２７に当接されて係着係合を実現する。分解する必要がある場合、第１係着具４を押圧して本体１に密着させ、第１係着具４が第１係着部２７に当接しないようになると、第１エンドカバー２を本体１から取り外すことができる。
【００２２】
更に、第１エンドカバー２と本体１との係着係合に類似し、第２係着具５が本体１に接触するまで折り曲げられると、第２係着溝３３に係着され、折り曲げられた第２係着具５は、自らの復元力の作用で、本体１から一定の距離だけずれ、第２係着溝３３の縁に、第２係着溝３３へ延出する第２係着部３４が設けられ、第２係着具５の本体１から離れた端が第２係着部３４に当接されて係着係合を実現する。分解する必要がある場合、第２係着具５を押圧して本体１に密着させ、第２係着具５が第２係着部３４に当接しないようになると、第２エンドカバー３を本体１から取り外すことができる。上記係着係合方式により、該組立型シューボックスの取り付けと取り外しが容易になる。
【００２３】
更に、扉体２２を開いて靴を出し入れしやすくするために、扉体２２の扉枠２１とのヒンジ接続箇所から離れた端に、扉ハンドル２３が設けられる。シューボックス内の空気を流通させるために、好ましくは、第２エンドカバー３に通気孔が設けられる。
【００２４】
更に、複数の該組立型シューボックスを確実に積み重ねやすいために、扉枠２１の上端面に第１突起２５が固設され、扉枠２１の下端に、第１突起２５と寸法が同じである第１凹溝２４が設けられる。上のシューボックスの第１凹溝２４に、隣接する下のシューボックスの第１突起２５を挿着させることにより、上下２つの隣接するシューボックスを組み立てることができ、シューボックスの寸法が同じであるため、積み重ねると整然で見栄えが良い。
【００２５】
更に、シューボックスの積み重ねの安定性を向上させるために、第２エンドカバー３の上端面に第２突起３２が設けられ、第２エンドカバー３の下端に、第２突起３２と寸法が同じである第２凹溝３１が設けられる。上のシューボックスの第２凹溝３１に、隣接する下のシューボックスの第２突起３２を挿着させることにより、上下２つの隣接するシューボックスを組み立てることができ、シューボックスの積み重ねの安定、確実を確保する。
【００２６】
該組立型シューボックスは、組み立てが容易で、放置する場合、第１エンドカバー２および第２エンドカバー３を取り外すことができ、本体１が折り畳まれてなるため、本体１はシート状に変形して空間の占有を減少することができる。扉体２２は透明材料からなり、シューボックス内部の靴を観察しやすい。複数の同じシューボックスが積み重ねられ、シューボックスの寸法が統一されるため、積み重ねられると、整然で見栄えが良い。
【００２７】
もちろん、本考案の上記実施例は、本考案を明確に説明するために挙げられた例に過ぎず、本考案の実施形態を限定するものではない。当業者にとって、上記説明の基に、他の異なる形式の変化または変動を行うことができる。ここで、全ての実施形態を網羅することができず、その必要もない。本考案の精神および原則内で行われるあらゆる修正、均等置換および改良等は、いずれも本考案の実用新案登録請求の範囲内に含まれるべきである。
【符号の説明】
【００２８】
１      本体
２      第１エンドカバー
２１    扉枠
２２    扉体
２３    扉ハンドル
２４    第１凹溝
２５    第１突起
２６    第１係着溝
２７    第１係着部
３      第２エンドカバー
３１    第２凹溝
３２    第２突起
３３    第２係着溝
３４    第２係着部
４      第１係着具
５      第２係着具
【図１】
0003225972.tif 000003
【図２】
0003225972.tif 000004
【図３】
0003225972.tif 000005
【図４】
0003225972.tif 000006
【図５】
0003225972.tif 000007
【図６】
0003225972.tif 000008